(57)【要約】【課題】本発明は，電源部からのノイズを除去し，高品質の音響再生を行うことができるハイファイオーディオ装置，及び該装置の電源部のノイズを除去する方法を提供することにある。【解決手段】本発明の一側面によるハイファイオーディオ装置は，ハイファイ音源を再生して出力するハイファイオーディオ装置において，前記ハイファイオーディオ装置を動作させる動作部と，外部電源からの交流電流を第１の直流電流に整流し，前記動作部に供給する交流電源部と，前記動作部に第２の直流電流を供給するバッテリ部とを有する電源供給部と，前記動作部が，前記音源を再生しない場合は，前記第１の直流電流を供給され，前記ハイファイオーディオ装置を駆動し，前記音源を再生する場合は，前記第２の直流電流を供給され，前記ハイファイオーディオ装置を駆動し，前記音源を再生する間，前記第１の直流電流は，前記動作部への供給が遮断される。【選択図】図１
2016127799.tif 000002
【特許請求の範囲】
【請求項１】
ハイファイ音源を再生して出力するハイファイオーディオ装置において，
前記ハイファイオーディオ装置を動作させる動作部と，
外部電源からの交流電流を第１の直流電流に整流し，前記動作部に供給する交流電源部と，前記動作部に第２の直流電流を供給するバッテリ部とを有する電源供給部と，
前記動作部が，前記音源を再生しない場合は，前記第１の直流電流を供給して前記ハイファイオーディオ装置を駆動し，前記音源を再生する場合は，前記第２の直流電流を供給して前記ハイファイオーディオ装置を駆動し，
前記音源を再生する間，前記第１の直流電流は，前記動作部への供給が遮断されることを特徴とするハイファイオーディオ装置。
【請求項２】
前記音源を再生する間，前記交流電源部の接地線を介して電流が前記動作部に流入することが遮断されることを特徴とする請求項１に記載のハイファイオーディオ装置。
【請求項３】
前記電源供給部は，前記動作部が前記音源を再生する場合，前記交流電源部からの前記第１の直流電流が前記動作部に印加されることを遮断し，前記バッテリ部からの前記第２の直流電流を前記動作部に印加することを特徴とする請求項１に記載のハイファイオーディオ装置。
【請求項４】
前記電源供給部は，前記動作部が音源を再生する場合，前記交流電源部の接地線を介して電流が前記動作部に流入することを遮断することを特徴とする請求項３に記載のハイファイオーディオ装置。
【請求項５】
前記電源供給部は，前記動作部が前記音源を再生しない場合，前記バッテリ部からの前記第２の直流電流が前記動作部に印加されることを遮断し，前記交流電源部からの前記第１の直流電流を前記動作部に印加することを特徴とする請求項１に記載のハイファイオーディオ装置。
【請求項６】
前記電源供給部は，前記動作部が前記音源を再生しない場合，前記交流電源部からの前記第１の直流電流を前記バッテリ部に印加し，前記バッテリ部を充電することを特徴とする請求項５に記載のハイファイオーディオ装置。
【請求項７】
前記動作部は，前記音源を再生する再生部と，前記再生部により再生された前記音源を増幅する増幅部と，前記ハイファイオーディオ装置のシステム動作を行うシステム部と，を有することを特徴とする請求項１に記載のハイファイオーディオ装置。
【請求項８】
前記バッテリ部は，前記動作部に直流電流を供給可能な複数個のセルを有し，
前記再生部，前記増幅部，及び前記システム部のそれぞれは，少なくとも一つの前記セルから個別に前記直流電流を供給されて動作することを特徴とする請求項７に記載のハイファイオーディオ装置。
【請求項９】
前記複数個のセルは，前記セルが連結される対象により電位差が異なることを特徴とする請求項８に記載のハイファイオーディオ装置。
【請求項１０】
前記交流電源部は，前記外部電源と連結され，前記外部電源から前記交流電流を供給される電源部と，
前記交流電流を前記第１の直流電流に整流する整流部と，を有することを特徴とする請求項１に記載のハイファイオーディオ装置。
【請求項１１】
ハイファイ音源を再生して出力するハイファイオーディオ装置において，
前記ハイファイオーディオ装置を動作させる動作部と，
外部電源からの交流電流を第１の直流電流に整流し，前記動作部に供給する交流電源部と，前記動作部に第２の直流電流を供給するバッテリ部とを有する電源供給部と，
前記電源供給部から前記動作部に電源が印加され，または遮断されるようにするスイッチング部と，
前記動作部の音源再生の有無により，前記第１の直流電流または前記第２の直流電流が前記動作部に印加されるように，前記スイッチング部を制御する制御部と，を備えることを特徴とするハイファイオーディオ装置。
【請求項１２】
前記制御部は，前記動作部が前記音源を再生するか否かを判別し，前記音源が再生される場合，前記バッテリ部から前記第２の直流電流が前記動作部に印加され，前記交流電源部から前記第１の直流電流が前記動作部に印加されることを遮断するように，前記スイッチング部を制御することを特徴とする請求項１１に記載のハイファイオーディオ装置。
【請求項１３】
前記動作部が前記音源を再生する場合，前記制御部は，前記交流電源部の接地線を介して電流が前記動作部に流入することを遮断するように，前記スイッチング部を制御することを特徴とする請求項１２に記載のハイファイオーディオ装置。
【請求項１４】
前記制御部は，前記動作部が前記音源を再生するか否かを判別し，前記音源が再生されない場合，前記バッテリ部から前記第２の直流電流が前記動作部に印加されることを遮断し，前記交流電源部から前記第１の直流電流が前記動作部に印加されるように，前記スイッチング部を制御することを特徴とする請求項１１に記載のハイファイオーディオ装置。
【請求項１５】
前記制御部は，前記音源が再生されない場合，前記交流電源部から前記第１の直流電流が前記バッテリ部に印加され，前記バッテリ部が充電されるように，前記スイッチング部を制御することを特徴とする請求項１４に記載のハイファイオーディオ装置。
【請求項１６】
前記制御部は，前記動作部が前記音源を再生するか否かを判断する判断部と，
前記音源が再生される場合，前記第２の直流電流が前記動作部に印加され，前記第１の直流電流が前記動作部に印加されることを遮断するように，前記スイッチング部を制御し，前記音源が再生されない場合，前記第２の直流電流が前記動作部に印加されることを遮断し，前記第１の直流電流が前記動作部に印加されるように，前記スイッチング部を制御するスイッチング制御部と，を有することを特徴とする請求項１１に記載のハイファイオーディオ装置。
【請求項１７】
前記スイッチング制御部は，前記動作部が前記音源を再生する場合，前記交流電源部の接地線を介して電流が前記動作部に流入することを遮断するように，前記スイッチング部を制御することを特徴とする請求項１６に記載のハイファイオーディオ装置。
【請求項１８】
前記スイッチング制御部は，前記音源が再生されない場合，前記交流電源部から前記第１の直流電流が前記バッテリ部に印加され，前記バッテリ部が充電されるように，前記スイッチング部を制御することを特徴とする請求項１６に記載のハイファイオーディオ装置。
【請求項１９】
交流電源部及びバッテリ部を有する電源供給部，動作部，スイッチング部，及び制御部を備え，ハイファイ音源を再生して出力するハイファイオーディオ装置の電源部のノイズを除去する方法において，
前記動作部が前記音源を再生するか否かを判断するステップと，
前記音源を再生する場合，前記交流電源部から第１の直流電流が前記動作部に印加されることを遮断し，前記バッテリ部が第２の直流電流を前記動作部に印加するステップと，
前記音源を再生しない場合，前記バッテリ部から前記第２の直流電流を遮断し，前記交流電源部が前記第１の直流電流を前記動作部に印加するステップと，からなることを特徴とするハイファイオーディオ装置の電源部のノイズを除去する方法。
【請求項２０】
前記音源を再生しない場合，前記交流電源部が前記バッテリ部を充電するステップをさらに含むことを特徴とする請求項１９に記載のハイファイオーディオ装置の電源部のノイズを除去する方法。
【発明の詳細な説明】
【技術分野】
【０００１】
本発明の一実施例は，ハイファイオーディオ装置及び該装置の電源部のノイズを除去する方法に関する。
【背景技術】
【０００２】
オーディオは，一般に，音楽，人の声，自然音などの人の耳で聞くことのできる音域内の音波，及び前記音波を変換した電気信号を記録，または記録された信号を音波エネルギーに変換して空間に放射するシステムである。
【０００３】
ハイファイ（Hi‐Fi）オーディオは，人の可聴周波数である１６Hz〜２０kHzの範囲の低音部から高音部まで，均一であり，かつ原音に近く再生可能な音響機器である。ハイファイオーディオは，ノイズに極めて敏感であり，特に外部電源として用いられるＡＣ（alternating current）電源から流入するＡＣ電源ラインノイズに脆弱である。
【０００４】
ＡＣ電源で動作する電気機器が共通の電源ラインを介して接続されているので，一方の機器から発生したＡＣ電源ラインノイズは，他方の電気機器の誤作動を誘発し，これに対して，他方の機器から発生するノイズが，一方の機器に影響を与え，誤作動を誘発することもあり得る。そのため，電子機器のＡＣ電源部は，ノイズが侵入する入口または出口の役割をし，さらには，このようなノイズは，前記ハイファイオーディオが再生する音の音質を劣化させる主な要因となり得る。
【０００５】
ＡＣ電源ラインのノイズは，ノイズの電圧レベルまたは波形などにより，高周波ノイズ，パルス性ノイズ，サージ性ノイズに分けられる。
【０００６】
高周波ノイズは，主にコンピュータやスイッチング電源等のスイッチング周波数に含まれている高周波成分として，数mV〜数十mVの電圧レベルを有し，電気機器がオン／オフされる場合，常時発生するノイズである。
【０００７】
パルス性ノイズは，リレーまたは誘導モータなどのスイッチングの際に発生するノイズであり，電圧レベルが前記高周波ノイズに比べて高く，ピーク電圧が数千Vに至ることもある。
【０００８】
サージ性ノイズは，主に誘導雷により，電源ラインに発生し，電圧レベルが上記した２つのノイズに比べて極めて高く，ピーク電圧が数万Vに至ることもある。
【０００９】
ＩＣ（Integrated Circuit）チップを搭載する電気機器は，前記パルス性ノイズ及びサージ性ノイズの影響を直接受けるだけでなく，電気機器自身が，前記高周波ノイズの発生源として作用し得るので，他の電気機器または電気機器自身に影響を及ぼすことになる。
【００１０】
このような電源部のノイズ対策として，ノイズフィルタ，分電盤の分離などの方法がある。しかしながら，これらの方法は，電気機器が占める体積が増加し，またはノイズ防止装置などの追加構成，及び経済性の側面において限界があった。
【００１１】
また，従来のオーディオでは，１つのバッテリが，音源再生，システム動作，音源増幅などの様々な動作を行うように電源を供給する。この場合，前記様々な動作を行う各部分が，前記動作を行うのに要する電流の大きさが異なり，これにより，各部分に合う電流が流入しない場合，従来のオーディオの内部においてシステムノイズが生じるという問題点があった。
【発明の概要】
【発明が解決しようとする課題】
【００１２】
本発明は，上記問題点に鑑みなされたものであり，その目的は，電源部からのノイズを除去し，高品質の音響再生を行うことができるハイファイオーディオ装置，及び該装置の電源部のノイズを除去する方法を提供することにある。
【課題を解決するための手段】
【００１３】
前記目的を達成するために，本発明の一側面によるハイファイオーディオ装置は，ハイファイ音源を再生して出力するハイファイオーディオ装置において，前記ハイファイオーディオ装置を動作させる動作部と，外部電源からの交流電流を第１の直流電流に整流し，前記動作部に供給する交流電源部と，前記動作部に第２の直流電流を供給するバッテリ部とを有する電源供給部と，前記動作部が，前記音源を再生しない場合は，前記第１の直流電流を供給され，前記ハイファイオーディオ装置を駆動し，前記音源を再生する場合は，前記第２の直流電流を供給され，前記ハイファイオーディオ装置を駆動し，前記音源を再生する間，前記第１の直流電流は，前記動作部への供給が遮断される。
【００１４】
本発明において，前記音源を再生する間，前記交流電源部の接地線を介して電流が前記動作部に流入することが遮断される。
【００１５】
本発明において，前記電源供給部は，前記動作部が前記音源を再生する場合，前記交流電源部からの前記第１の直流電流が前記動作部に印加されることを遮断し，前記バッテリ部からの前記第２の直流電流を前記動作部に印加する。
【００１６】
本発明において，前記電源供給部は，前記動作部が音源を再生する場合，前記交流電源部の接地線を介して電流が前記動作部に流入することを遮断する。
【００１７】
本発明において，前記電源供給部は，前記動作部が前記音源を再生しない場合，前記バッテリ部からの前記第２の直流電流が前記動作部に印加されることを遮断し，前記交流電源部からの前記第１の直流電流を前記動作部に印加する。
【００１８】
本発明において，前記電源供給部は，前記動作部が前記音源を再生しない場合，前記交流電源部からの前記第１の直流電流を前記バッテリ部に印加し，前記バッテリ部を充電する。
【００１９】
本発明において，前記動作部は，前記音源を再生する再生部と，前記再生部により再生された前記音源を増幅する増幅部と，前記ハイファイオーディオ装置のシステム動作を行うシステム部と，を有する。
【００２０】
本発明において，前記バッテリ部は，前記動作部に直流電流を供給可能な複数個のセルを有し，前記再生部，前記増幅部，及び前記システム部のそれぞれは，少なくとも一つの前記セルから個別に前記直流電流を供給されて動作する。
【００２１】
本発明において，前記複数個のセルは，前記セルが連結される対象により電位差が異なる。
【００２２】
本発明において，前記交流電源部は，前記外部電源と連結され，前記外部電源から前記交流電流を供給される電源部と，前記交流電流を前記第１の直流電流に整流する整流部と，を有する。
【００２３】
本発明の一側面によるハイファイオーディオ装置は，ハイファイ音源を再生して出力するハイファイオーディオ装置において，前記ハイファイオーディオ装置を動作させる動作部と，外部電源からの交流電流を第１の直流電流に整流し，前記動作部に供給する交流電源部と，前記動作部に第２の直流電流を供給するバッテリ部とを有する電源供給部と，前記電源供給部から前記動作部に電源が印加され，または遮断されるようにするスイッチング部と，前記動作部の音源再生の有無により，前記第１の直流電流または前記第２の直流電流が前記動作部に印加されるように，前記スイッチング部を制御する制御部と，を備える。
【００２４】
本発明において，前記制御部は，前記動作部が前記音源を再生するか否かを判別し，前記音源が再生される場合，前記バッテリ部から前記第２の直流電流が前記動作部に印加され，前記交流電源部から前記第１の直流電流が前記動作部に印加されることを遮断するように，前記スイッチング部を制御する。
【００２５】
本発明において，前記動作部が，前記音源を再生する場合，前記制御部は，前記交流電源部の接地線を介して電流が前記動作部に流入することを遮断するように，前記スイッチング部を制御する。
【００２６】
本発明において，前記制御部は，前記動作部が前記音源を再生するか否かを判別し，前記音源が再生されない場合，前記バッテリ部から前記第２の直流電流が前記動作部に印加されることを遮断し，前記交流電源部から前記第１の直流電流が前記動作部に印加されるように，前記スイッチング部を制御する。
【００２７】
本発明において，前記制御部は，前記音源が再生されない場合，前記交流電源部から前記第１の直流電流が前記バッテリ部に印加され，前記バッテリ部が充電されるように，前記スイッチング部を制御する。
【００２８】
本発明において，前記制御部は，前記動作部が前記音源を再生するか否かを判断する判断部と，前記音源が再生される場合，前記第２の直流電流が前記動作部に印加され，前記第１の直流電流が前記動作部に印加されることを遮断するように，前記スイッチング部を制御し，前記音源が再生されない場合，前記第２の直流電流が前記動作部に印加されることを遮断し，前記第１の直流電流が前記動作部に印加されるように，前記スイッチング部を制御するスイッチング制御部と，を有する。
【００２９】
本発明において，前記スイッチング制御部は，前記動作部が前記音源を再生する場合，前記交流電源部の接地線を介して電流が前記動作部に流入することを遮断するように，前記スイッチング部を制御する。
【００３０】
本発明において，前記スイッチング制御部は，前記音源が再生されない場合，前記交流電源部から前記第１の直流電流が前記バッテリ部に印加され，前記バッテリ部が充電されるように，前記スイッチング部を制御する。
【００３１】
本発明の一側面によるハイファイオーディオ装置の電源部のノイズを除去する方法は，交流電源部及びバッテリ部を有する電源供給部，動作部，スイッチング部，及び制御部を備え，ハイファイ音源を再生して出力するハイファイオーディオ装置の電源部のノイズを除去する方法において，前記動作部が前記音源を再生するか否かを判断するステップと，前記音源を再生する場合，前記交流電源部から第１の直流電流が前記動作部に印加されることを遮断し，前記バッテリ部が第２の直流電流を前記動作部に印加するステップと，前記音源を再生しない場合，前記バッテリ部から前記第２の直流電流を遮断し，前記交流電源部が前記第１の直流電流を前記動作部に印加するステップと，からなる。
【００３２】
本発明において，前記音源を再生しない場合，前記交流電源部が前記バッテリ部を充電するステップをさらに含む。
【発明の効果】
【００３３】
本発明の一実施例によると，ＡＣ電源を遮断し，充電された電力で音響を再生することにより，電源部から発生するノイズが除去され，高品質の音響再生を行うことができる。
【図面の簡単な説明】
【００３４】
【図１】本発明の一実施例によるハイファイオーディオ装置の構成を示す概略図である。
【図２】本発明の一実施例によるハイファイオーディオ装置のバッテリ部を示す概略図である。
【図３】本発明の他の実施例によるハイファイオーディオ装置の構成を示す概略図である。
【図４】本発明の他の実施例によるハイファイオーディオ装置の電源遮断の順序を示す流れ図である。
【発明を実施するための形態】
【００３５】
本発明は，多様な変更を加え，様々な実施例を有することができることから，以下では特定の実施例を図示し，これについて詳細な説明により詳述する。しかしながら，これは，本発明を特定の実施の形態に限定するものではなく，本発明の思想及び技術の範囲に含まれる全ての変更，均等物乃至代替物を含むことができる。
【００３６】
本発明を説明するにあたって，関連した公知技術についての具体的な説明が，本発明の要旨を不必要に不明りょうにすると判断される場合，その詳細な説明を省略する。また，本明細書の説明の過程において用いられる数字（例えば，第１，第２など）は，ある構成要素を他の構成要素と区分するための識別記号に過ぎない。
【００３７】
また，本明細書において，一構成要素が他の構成要素と「連結される」または「接続される」などとある記載は，前記一構成要素が前記他の構成要素と直接連結され，または直接接続されている場合だけでなく，特に制約がない限り，中間に更に他の構成要素を介して連結され，または接続されていてもよい。
【００３８】
以下，添付した図面に基づき，本発明の好適な実施例について詳述する。
【００３９】
図１は，本発明の一実施例によるハイファイオーディオ装置１００の構成を示す概略図である。
【００４０】
図１を参照すると，本発明の一実施例によるハイファイオーディオ装置１００は，電源供給部１１０，及び動作部１２０を備える。
【００４１】
電源供給部１１０は，外部電源からの交流電流を第１の直流電流に整流して動作部１２０に供給し，またはバッテリ部１１２が第２の直流電流を供給することができる。より詳しくは，動作部１２０が前記音源を再生する場合，電源供給部１１０は，交流電源部１１１からの前記第１の直流電流が動作部１２０に印加されることを遮断し，バッテリ部１１２からの前記第２の直流電流を動作部１２０に印加することができる。
【００４２】
交流電源部１１１は，共通の電源ラインと連結され，交流電流を供給され，これを整流し，第１の直流電流を生成するが，共通の電源ラインに供給される交流電流には，電源ノイズが含まれており，これを整流しても，整流された第１の直流電流にはノイズが含まれている。また，共通の電源ラインには，他の電気機器も連結されるので，他の電気機器のオンオフや誤作動の際に発生するノイズが，共通の電源ラインを介してハイファイオーディオ装置１００の交流電源部１１１に伝達される。ハイファイオーディオ装置の場合，高音質の音源を再生するので，外部電源からの前記ノイズや外部電気機器からの前記ノイズにも影響され，ハイファイ音源の再生時，音質が悪化してしまう。
【００４３】
本発明の一実施例では，動作部１２０が音源を再生する場合，交流電源部１１１からの電源供給を遮断し，バッテリ部１１２から第２の直流電流を供給されて音源を再生するので，外部交流電流によるノイズと外部電気機器からのノイズによる音質の悪化を最小化することができる。
【００４４】
共通の電源ラインを通じたノイズは，接地線を介してもハイファイオーディオ装置１００に伝達されるので，本発明の一実施例によると，動作部１２０が音源を再生する場合，電源供給部１１０は，交流電源部１１１の接地線１１３を介して電流が動作部１２０に流入することを遮断することができる。
【００４５】
また，電源供給部１１０は，動作部１２０が前記音源を再生しない場合，バッテリ部１１２からの前記第２の直流電流が動作部１２０に印加されることを遮断し，交流電源部１１１からの前記第１の直流電流を動作部１２０に印加すると共にバッテリ部１１２にも印加し，バッテリ部１１２を充電することができる。電源ラインノイズの影響を最も大きく受けるのは，音源を再生することであり，バッテリ部１１２は，充電量だけ電流供給が可能であるので，本発明の一実施例では，音源を再生せず，ハイファイオーディオ装置１００のシステムを駆動する場合，バッテリ部１１２からの第２の直流電流の供給を遮断し，交流電源部１１１からの第１の直流電流が供給されて動作部１２０を駆動し，バッテリ部１１２を充電することができる。
【００４６】
一例として，電源供給部１１０は，交流電源部１１１及びバッテリ部１１２を有してもよい。
【００４７】
交流電源部１１１は，外部電源からの交流電流を第１の直流電流に整流し，動作部１２０に供給する。交流電源部１１１は，前記外部電源と連結され，前記交流電流を供給される電源部１１１ａ，及び前記交流電流を前記第１の直流電流に整流する整流部１１１ｂを有してもよい。
【００４８】
また，交流電源部１１１は，動作部１２０が音源を再生する場合，交流電源部１１１に設けられる接地線１１３を介して，前記第１の直流電流が動作部１２０に流入することが遮断される。
【００４９】
バッテリ部１１２は，動作部１２０に第２の直流電流を供給することができる。バッテリ部１１２は，一例として，図２に示すような構成からなってもよい。
【００５０】
図２は，本発明の一実施例によるハイファイオーディオ装置１００のバッテリ部１１２を示す概略図である。
【００５１】
図２を参照すると，バッテリ部１１２は，動作部１２０に直流電流を供給可能な複数個のセル１１２ａ乃至１１２ｎを有してもよく，前記複数個のセル１１２ａ乃至１１２ｎは，動作部１２０の再生部１２１，増幅部１２２，及びシステム部１２３に個別に連結され，前記直流電流を供給し，前記複数個のセル１１２ａ乃至１１２ｎは，それぞれのセルが連結される対象により電位差が異なる。例えば，再生部１２１は，第１のセル１１２ａと連結され，直流電流を供給されて前記音源を再生し，増幅部１２２は，第２のセル１１２ｂと連結され，直流電流を供給されて前記音源を増幅させ，システム部１２３は，第３のセル（図示せず）と連結され，直流電流を供給されてシステム動作を行うことができる。
【００５２】
従来のオーディオは，外部電源から交流電流を供給され，音源の再生，システム動作，及び音源の増幅などの様々な動作を行うように電流を供給する。この場合，前記動作を行う各部分が要する電流の大きさが異なり，これにより，各部分に合う電流を供給せず，従来のオーディオの内部システムノイズが発生するという問題があった。
【００５３】
本発明の一実施例によるハイファイオーディオ装置１００は，上記のようにバッテリ部１１２が連結される対象により電位差の異なる複数個のセル１１２ａ乃至１１２ｎを有し，複数個のセル１１２ａ乃至１１２ｎの少なくとも一つが動作部１２０の再生部１２１，増幅部１２２，及びシステム部１２３に個別に連結され，前記直流電流を供給することにより，別個のセルが再生部１２１，増幅部１２２，及びシステム部１２３がそれぞれ必要とする電流を独立して供給することができるので，ハイファイオーディオ装置１００が動作することにより発生するオーディオ装置の内部のシステムノイズを遮断することができる。
【００５４】
また，バッテリ部１１２は，動作部１２０が前記音源を再生する場合，交流電源部１１１が，接地線１１３による電流の流入を遮断した後，前記第２の直流電流を動作部１２０に印加することができる。
【００５５】
電源供給部１１０は，動作部１２０が前記音源を再生しない場合，交流電源部１１１からの前記第１の直流電流をバッテリ部１１２に印加し，バッテリ部１１２を充電することができる。
【００５６】
上述したように，電源供給部１１０は，動作部１２０が音源を再生する場合は，交流電源部１１１から供給される前記第１の直流電流を遮断し，バッテリ部１１２が前記第２の直流電流を印加することにより，外部電源から発生するノイズを遮断することができる。また，バッテリ部１１２が連結される対象により電位差の異なる複数個のセル１１２ａ乃至１１２ｎを有し，少なくとも一つのセルが動作部１２０の再生部１２１，増幅部１２２，及びシステム部１２３などに個別に連結され，前記直流電流を供給することにより，従来のハイファイオーディオ装置の内部に設けられるバッテリが同一の電位差を用いることにより発生していたシステムノイズを遮断することができる。
【００５７】
動作部１２０は，本発明の一実施例によるハイファイオーディオ装置１００を動作させることができる。このとき，動作部１２０は，前記音源を再生しない場合，電源供給部１１０の交流電源部１１１から前記第１の直流電流を供給され，本発明の一実施例によるハイファイオーディオ装置１００を駆動することができ，前記音源を再生する間は，交流電源部１１１が動作部１２０の前記第１の直流電流が，交流電源部１１１の接地線１１３を介して流入することが遮断され，バッテリ部１１２から印加される前記第２の直流電流により動作部１２０が駆動される。
【００５８】
動作部１２０は，再生部１２１，増幅部１２２，及びシステム部１２３を有してもよい。
【００５９】
再生部１２１は，電源供給部１１０のバッテリ部１１２から前記第２の直流電流を印加され，前記音源を再生することができる。
【００６０】
増幅部１２２は，再生部１２１により再生される前記音源を増幅することができる。増幅部１２２は，電源供給部１１０の交流電源部１１１またはバッテリ部１１２と連結されてもよく，動作部１２０が前記音源を再生する場合，バッテリ部１１２から前記第２の直流電流を印加されて動作することができ，動作部１２０が前記音源を再生しない場合，交流電源部１１１から前記第１の直流電流を印加されて動作することができる。
【００６１】
システム部１２３は，本発明の一実施例によるハイファイオーディオ装置１００のシステム動作を行うことができる。ここで，前記システム動作は，音源再生及び再生された音源の増幅を除いたハイファイオーディオ装置１００の内部装置を駆動するものである。
【００６２】
システム部１２３は，電源供給部１１０の交流電源部１１１またはバッテリ部１１２と連結されてもよく，動作部１２０が前記音源を再生する場合，バッテリ部１１２から前記第２の直流電流を印加されて動作することができ，動作部１２０が前記音源を再生しない場合，交流電源部１１１から前記第１の直流電流を印加されて動作することができる。
【００６３】
図３は，本発明の他の実施例によるハイファイオーディオ装置２００の構成を示す概略図である。
【００６４】
図３を参照すると，本発明の他の実施例によるハイファイオーディオ装置２００は，電源供給部２１０，動作部２２０，スイッチング部２３０，及び制御部２４０を有してもよい。
【００６５】
スイッチング部２３０は，電源供給部２１０から動作部２２０に電源が印加され，または遮断されるようにする。
【００６６】
スイッチング部２３０は，動作部２２０が前記音源を再生する場合，制御部２４０のスイッチング制御部２４２の制御により，バッテリ部２１２が前記第２の直流電流を動作部２２０に印加し，また，交流電源部２１１の接地線２１３を介して，交流電源部２１１の前記第１の直流電流が動作部２２０に流入することを遮断することができる。
【００６７】
また，スイッチング部２３０は，動作部２２０が前記音源を再生しない場合，スイッチング制御部２４２の制御により，バッテリ部２１２が前記第２の直流電流を動作部２２０に印加することを遮断し，または交流電源部２１１が前記第１の直流電流を動作部２２０に印加するようにすることができる。
【００６８】
制御部２４０は，動作部２２０の音源再生の有無により，前記第１の直流電流または第２の直流電流が動作部２２０に印加されるように，スイッチング部２３０を制御することができる。
【００６９】
制御部２４０は，判断部２４１，及びスイッチング制御部２４２を有してもよい。
【００７０】
判断部２４１は，動作部２２０が前記音源を再生する否かを判断し，スイッチング制御部２４２がスイッチング部２３０を制御可能に信号を印加することができる。
【００７１】
スイッチング制御部２４２は，判断部２４１の判断により，動作部２２０が前記音源を再生する場合，交流電源部２１１の接地線２１３を介して，交流電源部２１１から前記第１の直流電流が動作部２２０に流入することを遮断し，バッテリ部２１２から前記第２の直流電流が動作部２２０に印加されるように，スイッチング部２３０を制御することができる。
【００７２】
動作部２２０が前記音源を再生しない場合，スイッチング制御部２４２は，バッテリ部２１２から前記第２の直流電流が動作部２２０に印加されることを遮断し，交流電源部２１１から前記第１の直流電流が動作部２２０に印加されるように，スイッチング部２３０を制御することができる。さらには，スイッチング制御部２４２は，前記音源が再生されない場合，交流電源部２１１から前記第１の直流電流がバッテリ部２１２に印加され，バッテリ部２１２が充電されるように，スイッチング部２３０を制御することができる。
【００７３】
図４は，本発明の他の実施例によるハイファイオーディオ装置２００の電源遮断の順序を示す流れ図である。
【００７４】
図４を参照すると，判断部２４１は，動作部２２０が前記音源を再生するか否かを判断する（Ｓ３１０）。
【００７５】
動作部２２０が前記音源を再生する場合，スイッチング制御部２４２は，交流電源部２１１の接地線２１３を介して流入する，交流電源部２１１からの前記第１の直流電流を遮断するように，スイッチング部２３０を制御する（Ｓ３２０）。
【００７６】
また，スイッチング制御部２４２は，バッテリ部２１２が動作部２２０に前記第２の直流電流を供給するように，スイッチング部２３０を制御する（Ｓ３３０）。
【００７７】
動作部２２０が前記音源を再生しない場合，スイッチング制御部２４２は，バッテリ部２１２から前記第２の直流電流を遮断するように，スイッチング部２３０を制御する（Ｓ３４０）。
【００７８】
また，スイッチング制御部２４２は，交流電源部２１１が前記第１の直流電流を印加するように，スイッチング部２３０を制御する（Ｓ３５０）。
【００７９】
また，スイッチング制御部２４２は，交流電源部２１１がバッテリ部２１２を充電するように，スイッチング部２３０を制御する（Ｓ３６０）。
【００８０】
図１乃至図４と関連して上述したように，本発明によるハイファイオーディオ装置１００，２００は，前記音源が再生される場合，交流電源部１１１，２１１から印加される前記第１の直流電流を遮断し，バッテリ部１１２，２１２から第２の直流電流を印加するように制御することにより，外部電源から流入する交流電流による雑音を遮断することができる。
【００８１】
また，従来のオーディオ装置が有していた他の問題，すなわち，１つのバッテリを用いて，従来のオーディオ装置のそれぞれの動作を行うことにより発生した，内部システムノイズの問題を，本発明によるハイファイオーディオ装置１００，２００のバッテリ部１１２，２１２に設けられる複数個のセル１１２ａ乃至１１２ｎの電位差を異ならせ，前記セルが連結される対象により，個別に前記直流電流を供給することにより，各動作に必要な電流のみを供給可能にすることができる。
【００８２】
以上の説明は，本発明の技術思想を例示的に説明したものに過ぎず，本発明の属する技術の分野における通常の知識を有する者であれば，本発明の本質的な特性から逸脱しない範囲内で，様々な修正及び変形が可能であろう。
【００８３】
したがって，本発明に開示された実施例は，本発明の技術思想を限定するものではなく，説明するためのものであり，これらの実施例により，本発明の技術思想の範囲が限定されるものではない。
【００８４】
本発明の保護範囲は，下記の請求の範囲により解釈されなければならず，これと同等の範囲内にある全ての技術思想は，本発明の権利範囲に含まれるものと解釈されなければならない。
【符号の説明】
【００８５】
１００，２００    ハイファイオーディオ装置
１１０，２１０    電源供給部
１１２，２１２    バッテリ部
１２０，２２０    動作部
２３０    スイッチング部
２４０    制御部
２４１    判断部
２４２    スイッチング制御部
【図１】
2016127799.tif 000003
【図２】
2016127799.tif 000004
【図３】
2016127799.tif 000005
【図４】
2016127799.tif 000006